(57)【要約】【課題】  本発明は、巻糸体の巻きの状態が崩れることによる解舒不良や、解舒によって発生した撚れによる不具合を生じることなく効率的に解舒できる解舒方法である。【解決手段】  本発明の解舒方法は、リングに沿って糸条を解舒し、解舒中の糸条の最内層部と待機中の糸条の最外層部が結ぶことができ、連続解舒が可能であることを特徴とするものである。そして、本発明の解舒方法は、解舒時の撚れを軽減することが出来る。【選択図】図２
2013173610.tif 000002
【特許請求の範囲】
【請求項１】
筒状物に糸条を巻いた巻糸体を軸方向に解舒する際に使用する糸条解舒補助具であって、巻糸体の筒穴に挿入して巻糸体をセットするための巻糸体固定装置に脱着自在に固定するための部位と糸条を解舒するためのリングを付設した部位とからなり、前記リングの環部が巻糸体の巻糸部の周囲を囲むよう設置し、前記巻糸体の側面から前記リングに沿って糸条を解舒するようにしたことを特徴とする糸条解舒補助具。
【請求項２】
巻糸体をセットする前記巻糸体固定装置に糸条解舒補助具を固定した際、前記リングが、巻糸体に巻かれた糸条の上端部を含み、巻糸体の軸芯に垂直な面をＹ１、同下端部を含み、巻糸体の軸芯に垂直な面をＹ２としたときの面Ｙ１−Ｙ２間の距離Ｙとした時、距離Ｙが１５０〜４００ｍｍかつ、面Ｙ１からリングの間の距離Ｙ’がＹの１/４〜２/３の範囲にあるように付設したことを特徴とする請求項１に記載の糸条解舒補助具。
【請求項３】
前記リングの内径が、リング内周部と巻糸体の解舒始めの状態での糸条の最外周部の隙間が７５〜２５０ｍｍの範囲となる大きさであることを特徴とする請求項１または２に記載の糸条解舒補助具。
【請求項４】
前記リングの少なくとも接糸部をセラミックまたは梨地加工された金属で構成することを特徴とする請求項１〜３のいずれかに記載の糸条解舒補助具。
【請求項５】
巻糸体をセットするための巻糸体固定装置および請求項１〜４のいずれか記載の糸条解舒補助具からなる糸条解舒装置。
【請求項６】
巻糸体をセットするための巻糸体固定装置および請求項１〜４のいずれか記載の糸条解舒補助具を複数備えて連続解舒可能にした請求項５記載の糸条解舒装置。
【請求項７】
筒状物に糸条を巻いた巻糸体を軸方向に解舒する糸条解舒方法であって、巻糸体を巻糸体固定装置にセットし、前記巻糸体固定装置に脱着自在に固定した請求項１〜４のいずれか記載の糸条解舒補助具のリングに沿うように糸条を引き出し解舒することを特徴とする糸条解舒方法。
【請求項８】
巻糸体として、最内層部側の糸端部を最外層よりも外側に突出させたテール部を有する巻糸体を請求項６記載の糸条解舒装置の少なくとも１つの巻糸体固定装置にセットし、前記巻糸体固定装置に脱着自在に固定した糸条解舒補助具のリングに沿うように糸条を引き出し解舒するとともに、前記巻糸体固定装置とは別の巻糸体固定装置に待機用の巻糸体をセットし、この巻糸体固定装置に前記糸条解舒補助具とは別の糸条解舒補助具を脱着自在に固定し、前記テール部を有する巻糸体のテール部と待機用の巻糸体の外層側の糸条端部を連結して連続的に解舒することを特徴とする連続糸条解舒方法。
【発明の詳細な説明】
【技術分野】
【０００１】
本発明は、筒状の巻糸体から、軸方向に糸を連続して解舒するのに用いる糸条解舒補助具に関するものである。
【背景技術】
【０００２】
巻糸体に巻かれた糸条の解舒方法には、主に巻糸体の軸方向に解舒する方法（以下 縦取り解舒という）と、巻糸体を回転させながら、巻糸体の軸と直角の方向に解舒する方法（以下、横取り解舒という）の２つの方法がある。しかし、実際、巻糸体に巻かれた糸条を捲縮付与加工、インターミングル加工、諸撚加工ならびに製織前の経糸供給などで解舒を行う場合、解舒スペースの都合から縦取り解舒する方法が一般的に採用されている。
【０００３】
しかし、縦取り解舒すると巻糸体の巻きの状態が崩れることによる解舒不良や、解舒によって発生した撚れにより、糸条を誘導させるガイドなどに引っかかるなどの不具合が生じることがあり、特に糸条の単糸直径が太いものや、糸条の剛性が高いものは、前記不具合が顕著に発生する。
【０００４】
上記のような問題を解決するための従来技術としては、糸条に抵抗体を接触させながら糸を解舒する糸解舒張力安定具（例えば、特許文献１〜４）などが知られている。
【０００５】
また、モーターやコントローラーを有して機械により、糸条の解舒を制御する装置などが知られている。（例えば、特許文献５）
【先行技術文献】
【特許文献】
【０００６】
【特許文献１】特開２０１０−８３６１７号公報
【特許文献２】特開２００７−９９４５６号公報
【特許文献３】特開２０００−２１１８１７号公報
【特許文献４】特開平１０−３２４４５９号公報
【特許文献５】実開平５−７７１６４号公報
【発明の概要】
【発明が解決しようとする課題】
【０００７】
特許文献１記載の方法は解舒アームの端部の糸条誘導ガイドを用いて解舒するものであるが、かかる方法では解舒不良はある程度改良されるものの、解舒装置の構造上、複数の巻糸体から連続して解舒することはできないものであった。また、特許文献２〜５記載の方法は、抵抗体により巻糸体の状態が崩れることによる不具合は改良されるものの、解舒方向の都合上、常に撚りが発生することから、これらの従来技術は、いずれも解舒撚りによる不具合を改善することができないものであった。
【０００８】
本発明は、糸条の単糸繊度や、糸条の剛性にかかわらず糸条を縦取り解舒する際、巻糸体の巻きの状態が崩れることによる解舒不良や、解舒によって発生した撚れによる不具合を生じることなく効率的に解舒でき、かつ複数の巻糸体から連続解舒が可能な糸条解舒補助具および糸条解舒方法を提供することを課題とする。
【課題を解決するための手段】
【０００９】
本発明は、上記のような課題を解決するために、以下の構成を採用するものである。
【００１０】
すなわち本発明は、筒状物に糸条を巻いた巻糸体を軸方向に解舒する際に使用する糸条解舒補助具であって、巻糸体の筒穴に挿入して巻糸体をセットするための巻糸体固定装置に脱着自在に固定するための部位と糸条を解舒するためのリングを付設した部位とからなり、前記リングの環部が巻糸体の巻糸部の周囲を囲むよう設置し、前記巻糸体の側面から前記リングに沿って糸条を解舒するようにしたことを特徴とする糸条解舒補助具である。
【００１１】
上記糸条解舒補助具において（１）〜（３）とすることが好ましい。
【００１２】
（１）巻糸体をセットする前記巻糸体固定装置に糸条解舒補助具を固定した際、前記リングが、巻糸体に巻かれた糸条の上端部を含み、巻糸体の軸芯に垂直な面をＹ１、同下端部を含み、巻糸体の軸芯に垂直な面をＹ２としたときの面Ｙ１−Ｙ２間の距離Ｙとした時、距離Ｙが１５０〜４００ｍｍかつ、面Ｙ１からリングの間の距離Ｙ’がＹの１／４〜２／３の範囲にあるように付設すること。
【００１３】
（２）前記リングの内径が、リング内周部と巻糸体の解舒始めの状態での糸条の最外周部の隙間が７５〜２５０ｍｍの範囲となる大きさであること。
【００１４】
（３）前記リングの少なくとも接糸部をセラミックまたは梨地加工された金属で構成すること。
【００１５】
本発明はまた、巻糸体をセットするための巻糸体固定装置および上記糸条解舒補助具からなる糸条解舒装置である。
【００１６】
上記糸解舒装置において巻糸体をセットするための巻糸体固定装置および前記糸条解舒補助具を複数備えて連続解舒可能にすることが好ましい。
【００１７】
本発明は、さらに筒状物に糸条を巻いた巻糸体を軸方向に解舒する糸条解舒方法であって、巻糸体を巻糸体固定装置にセットし、前記巻糸体固定装置に脱着自在に固定した前記糸条解舒補助具のリングに沿うように糸条を引き出し解舒することを特徴とする糸条解舒方法である。
【００１８】
本発明は、さらに巻糸体として、最内層部側の糸端部を最外層よりも外側に突出させたテール部を有する巻糸体を前記糸条解舒装置の少なくとも１つの巻糸体固定装置にセットし、前記巻糸体固定装置に脱着自在に固定した糸条解舒補助具のリングに沿うように糸条を引き出し解舒するとともに、前記巻糸体固定装置とは別の巻糸体固定装置に待機用の巻糸体をセットし、この巻糸体固定装置に前記糸条解舒補助具とは別の糸条解舒補助具を脱着自在に固定し、前記テール部を有する巻糸体のテール部と待機用の巻糸体の外層側の糸条端部を連結して連続的に解舒することを特徴とする連続糸条解舒方法である。
【発明の効果】
【００１９】
本発明の糸巻体からの糸条解舒補助具によれば、前記糸条解舒補助具のリングを境に糸条の解舒方向が異なることから、解舒撚りによる不具合を改善することができる。
【００２０】
また、本発明の糸巻体からの糸条解舒補助具によれば、巻糸体の側面から前記リングに沿って糸条を解舒することにより、解舒中の糸条の最内層部に連なる端部と待機中の糸条の最外層部の端部を連結することで、連続解舒可能となり、効率的に巻糸体に巻かれた糸条を加工することができる。
【図面の簡単な説明】
【００２１】
【図１】（Ａ）本発明で好ましく用いられる巻糸体の固定装置の一例を示す概略図であり、（Ｂ）前記固定装置に糸条を巻いた巻糸体をセットした様子を示す概略図である。
【図２】本発明で好ましく用いられる糸条解舒補助具の一例を示す概略図である。
【図３】本発明で好ましく用いられる糸条解舒補助具を巻糸体固定装置にセットしたときの概略図である。
【図４】本発明で好ましく用いられる糸条解舒補助具と、解舒する巻糸体および待機中の巻糸体を巻糸体固定装置にセットし、両巻糸体を連結した状態を示す概略図である。
【図５】本発明で好ましく用いられる糸条解舒補助具を解舒する巻糸体が解舒しきった後の筒状物であるボビンと待機中の巻糸体が解舒を始めた状態を示す概略図である。
【図６】（Ａ）本発明で好ましく用いられる糸条解舒補助具をセットした巻糸体の下方から糸条を解舒している状態を示す概略図であり、（Ｂ）同巻糸体の上方から糸条を解舒している状態を示す概略図である。
【図７】本発明で好ましく用いられる糸条解舒補助具の側面側から見た断面概略図である。
【発明を実施するための形態】
【００２２】
以下に、本発明を詳細説明する。
【００２３】
本発明は、筒状物に糸条を巻いた巻糸体を軸方向に解舒する際に使用する糸条解舒補助具、およびそれを用いた糸条解舒装置、糸条解舒方法および連続糸条解舒方法である。本発明の糸条解舒補助具は、巻糸体の筒穴に挿入して巻糸体をセットするための巻糸体固定装置に脱着自在に固定するための部位と糸条を解舒するためのリングを付設した部位とからなり、前記リングの環部が巻糸体の巻糸部の周囲を囲むよう設置し、前記巻糸体の側面から前記リングに沿って糸条を解舒するようにしたものである。
【００２４】
図１〜図６に本発明の糸条解舒補助具およびその解舒方法の実施態様の一例を示す。なお、本発明は以下の例に限らない。
【００２５】
図１（Ａ）は、本発明で好ましく用いられる巻糸体の固定装置の一例を示す概略図であり、図１（Ｂ）は、前記固定装置に糸条を巻いた巻糸体をセットした様子を示す概略図である。図２は、本発明で好ましく用いられる糸条解舒補助具の一例を示す概略図である。また、図３は本発明で好ましく用いられる上記糸条解舒補助具を巻糸体固定装置にセットしたときの概略図である。
【００２６】
筒状物に糸条を巻いた巻糸体３は、糸条４を解舒するために、巻糸体の筒穴に挿入して巻糸体をセットするための巻糸体固定装置１にセットされ、巻糸体３の外層側からは糸条４が引き出され、解舒される。巻糸体３に巻かれた糸条の最内層部に繋がる糸端部はテール部５として示される。巻糸体固定装置１には、糸条解舒補助具を固定するための糸条解舒補助具固定用ボルト２があり、巻糸体３をセットしたとき巻糸体よりも長く、糸条解舒補助具固定部７を糸条解舒補助具固定用ボルト２に挿入した際に、巻糸体固定装置１の上端部で糸条解舒補助具固定部７を支え、糸条解舒補助具固定部７が巻糸体に触れないようになっているが、これは一例であり、糸条解舒補助具固定用ボルトの中程に糸条解舒補助具固定具を支えるための支持部（例えば鍔型支持部等）を設けるなど、巻糸体固定装置１に糸条解舒補助具１０を固定し、巻糸体３から糸条４を解舒する際、障害とならなければその長さに特に制限はない。また、巻糸体のセットが可能であれば、その形状にも特に制限はない。好ましくは、巻糸体３の解舒時に巻糸体をしっかり固定できる態様である。
【００２７】
本発明の巻糸体３からの糸条を解舒するための糸条解舒補助具１０は、巻糸体固定装置１の糸条解舒補助具固定用ボルト２に脱着自在に固定可能な穴を有する糸条解舒補助具固定部７とそれらを締め付けて固定するための糸条解舒補助具固定用ナット６、および巻糸体３の周囲を取り囲むように糸条解舒補助具リング部９とを備えたものである。巻糸体固定装置１に糸条解舒補助具を固定する方法としては、巻糸体固定装置１に脱着自在に固定可能な態様であれば、特に制限はないが、脱着が容易にできしっかり固定できる点からボルトとナットで締め付けるように固定するのが好ましい。
【００２８】
糸条解舒補助具リング部９は、糸条解舒補助具アーム部８によって糸条解舒補助具固定部７と連結されている。アームの形状は、糸条解舒補助具リング部９を安定的に支えることが可能であれば特に制限はないが、解舒時に糸条が引っかかりにくいという点から湾曲していることが好ましい。
【００２９】
解舒時に巻糸体３から引き出された糸条４は、糸条解舒補助具リング部９に沿って解舒される。
【００３０】
糸条４を巻いて巻糸体３を構成する筒状物としては、図示されるように両端部につばを備えたいわゆるボビンでもよいし、つばのない紙管でもよい。糸条の単糸直径が太いものや、糸条の剛性が高いものを解舒するにはボビンが好ましい。
【００３１】
図４は、本発明で好ましく用いられる糸条解舒補助具１０、１０’と、解舒する巻糸体３および待機中の巻糸体３’を巻糸体固定装置１、１’にセットし、両巻糸体を連結した状態を示す糸条解舒補助具概略図である。
【００３２】
解舒中の巻糸体３のテール部５は、待機中の巻糸体３′の糸条４′とジョイント部１１で結節等の方法で連結され、解舒中の巻糸体３から糸条４を解舒した後、引き続き待機中の巻糸体３′から糸条４′が解舒される。
【００３３】
図５は、本発明で好ましく用いられる糸条解舒補助具を解舒する巻糸体が解舒しきった後の筒状物であるボビンと待機中の巻糸体が解舒を始めた状態を示す概略図である。糸条４を解舒しきった後の筒状物であるボビン１２は、巻糸体固定装置１に固定された糸条解舒補助具１０を外した後、巻糸体固定装置１から外し、新たに解舒する巻糸体と糸条解舒補助具を固定装置１にセットし（前記解舒しきった後のボビン１２を外した固定装置にセットしてもよいし、第３の固定装置にセットしてもよい）、前記新たに解舒する巻糸体の外層側から引き出した糸条の端部と解舒中の巻糸体のテール部５’とを連結すれば、装置を止めることなく、連続解舒が可能である。
【００３４】
図４からも分かるように、本発明の糸条解舒補助具は、モーターやコントローラーを使用せずとも複数の巻糸体から連続的に糸条を解舒可能で、かつ簡便な構造である。
【００３５】
また、図６は、（Ａ）本発明で好ましく用いられる糸条解舒補助具をセットした巻糸体の下方から糸条を解舒している状態を示す概略図であり、（Ｂ）同巻糸体の上方から糸条を解舒している状態を示す概略図である。
【００３６】
ここで、本発明の糸条解舒補助具１０を使用した場合、糸条４がどのように解舒されていくかについて図６を用いて説明する。
【００３７】
巻糸体３に巻かれた糸条４が、上方向から見て右巻きに巻かれている場合について説明する。
（１）糸条解舒補助具リング部９に対して、糸条４の解舒位置が下にある場合（図６（Ａ））、糸条４はＳ方向に撚りが発生する。（以下、Ｓ撚りと呼ぶ）
（２）糸条４が解舒され、糸条解舒補助具リング部９に対して、糸条４の解舒位置が上にある場合（図６（Ｂ））、糸条４はＺ方向に撚りが発生する。（以下、Ｚ撚りと呼ぶ）
（３）（１）でＳ撚りで解舒された糸条４はその後（２）Ｚ撚りとなることから、撚りが緩和される方向に作用する。
【００３８】
すなわち上記のように撚り方向が異なる（１）と（２）の状態が繰り返されることから、撚りが緩和されながら、糸条４は解舒されていくことになる。このように撚りが緩和されることから、解舒撚れによる不具合の発生が抑制され、かつ走行糸条が安定するので、巻糸体の状態が崩れにくくなるので解舒不良の発生も抑制される。
【００３９】
また、本発明の糸条解舒補助具１０における糸条解舒補助具リング部９の材質に関し、少なくとも糸条と接触する部分については、抵抗値の低い材質または、抵抗値が低くなるよう表面処理が施されたものであることが好ましい。糸条解舒補助具リング部９において少なくとも糸条と接触する部分の抵抗値を低くすることで、リングとの接触により生じる擦れによる撚りや引っかかりの発生をよりいっそう抑制できる。具体的には、通常糸道ガイドの接糸部に用いられるような材質や表面処理が好ましく、具体的にはセラミック（アルミナなど）または、梨地処理された金属のものが好ましい。糸条解舒補助具リング部９の断面形状は、丸断面が好ましいが、本発明の効果を損なわない限り楕円形状であってもよいし、凹凸であってもよい。糸条解舒補助具リング部９の断面径は、細すぎると耐久性に劣る傾向にあり、太すぎると糸条の抵抗値が大きくなる傾向にある。したがって、リングの断面径は、直径が１０〜５０ｍｍの範囲が好ましい。
【００４０】
糸条解舒補助具リング部９の形状は円環が好ましいが、本発明の効果を損なわない限り楕円環であってもよい。
【００４１】
図７は本発明で好ましく用いられる糸条解舒補助具の側面側から見た断面概略図であるが、これを用いて好ましいリングの大きさと、巻糸体に対する好ましい位置関係を説明する。
【００４２】
糸条解舒補助具１０の糸条解舒補助具リング部９は、巻糸体３を取り囲むように設置され、巻糸体３から糸条４を引き出し、糸条解舒補助具リング部９に沿って解舒される。そのため、巻糸体自体が長すぎる、または巻糸体とリングが近すぎると巻糸体３の外層部と糸条４で構成される最小角度θ（以下 解舒角度θと呼ぶ）が小さく、引っかかりなど解舒不良が発生しやすくなる。したがって、巻糸体３において糸条が巻かれた上端部を含み巻糸体の軸芯に垂直方向の面をＹ１、下端部を含み巻糸体の軸芯に対し垂直方向の面をＹ２としたときの面Ｙ１−面Ｙ２の距離を距離Ｙ、解舒始めの巻糸体３の最外周部とリングの内周部との最短距離である隙間Ｘ（図７中巻糸体３最外周部からリング内周部までの水平方向距離の距離に相当）とした時、距離Ｙは１５０〜４００ｍｍの範囲とすることが好ましく、２００〜３７０ｍｍの範囲がより好ましい。また、隙間Ｘは７５〜２５０ｍｍの範囲とすることが好ましく、１００〜２００ｍｍの範囲とすることがより好ましい。
【００４３】
糸条解舒補助具１０の糸条解舒補助具リング部９の巻糸体軸芯方向の設置位置は、前記、面Ｙ１と糸条解舒補助具リング部９の間の距離を距離Ｙ’とした時、距離Ｙ’は距離Ｙの１／４〜２／３の範囲であることが解舒撚りを緩和し得る点と糸条の解舒角度θの点から好ましく、１／３〜１／２の範囲であることがより好ましく、Ｙ／２付近にあることが最も好ましい。これにより糸条解舒補助具リング部９の設置位置を境にそれより下方から解舒される糸条の解舒撚り方向と、それより上方から解除される糸条の解舒撚り方向とが逆方向となり、片方の解舒撚り方向をバランスよくうち消すことができるので、結果として糸条全体の解舒撚りが高度に緩和され、好ましいのである。
【００４４】
また、巻糸体３の軸芯と糸条解舒補助具リング部９の環の中心は同心であることが解舒張力安定の点から最も好ましいが、本発明の効果を損なわない限り、同心でなくて良い。
本発明では、繊維や剛性に関わらず、解舒できて、特に通常、解舒不良の点で難しかった単糸繊度が３００〜３７０ｄｔｅｘの高剛性な太繊維の解舒にも使用でき、かつ細繊度にも使え大変よい。
【実施例】
【００４５】
以下、本発明の糸巻体から糸条を安定的に解舒し得る糸条解舒補助具について、図４に示す実施形態を一例に、詳細に説明するが、本発明は以下の実施例に何ら限定されるものではない。
【００４６】
また、実施例に記載した製品の解舒補助具を使用した際の効果確認は、以下の方法によって測定・評価したものである。
【００４７】
（１）総繊度：ＪＩＳ Ｌ１０１３（２０１０）８．３．１  Ａ法により、所定荷重０．０４５ｃＮ／ｄｔｅｘで正量繊度を測定して総繊度とした。
【００４８】
単糸の直径 ０．２０ｍｍ（単糸繊度：３５０ｄｔｅｘ）のナイロン６６でフィラメント数が８本の撚り（Ｚ拠り）セット（３０ＳＴ／ｍ）された糸を、巻糸体（ボビン）１本に付き１万ｍ、解舒始めの巻糸体の最外周部までの直径がΦ７０ｍｍ、高さ（図６中 距離Ｙ）３６０ｍｍで巻かれた製品を準備した。
【００４９】
実施例１
上記の巻糸体を１０本用意し、巻糸体の軸方向から糸条を縦取り解舒した。すなわち、
巻糸体３を巻糸体固定装置１にセットし、前記巻糸体固定装置１に図２に示した構造を有し、表１に示す糸条解舒補助具リング部９（リング形状は円環状）を有する糸条解舒補助具１０を固定し、さらに待機用として、巻糸体３’を巻糸体固定装置１’にセットし、同形状の糸条解舒補助具１０’を固定し、図４に示すように巻糸体３のテール部５と待機用の巻糸体３’の外層側の糸条４’の端部をジョイント部１１で結んで連結した。１本目が空になり、２本目を解舒しているときに１本目の空ボビンと３本目を入れ替えるという方式で１０本連続解舒を行った。
【００５０】
解舒に際しては、５００ｍ／ｍｉｎの解舒速度で１０万ｍ解舒を行い、製品の解舒状態を次の５段階で評価した。
Ａ：全ての製品が巻状態を崩すことなく、解舒することができた。
Ｂ：解舒した際、製品撚れや巻き状態の崩れにより、糸が乱れたが不具合がなかった。
Ｃ：解舒した際、製品で糸切れの発生および引っかかりによる停止が１〜２回であった。
Ｄ：解舒した際、製品で糸切れの発生および引っかかりによる停止が３〜５回であった。
Ｅ：解舒した際、製品で糸切れの発生および引っかかりによる停止が６回以上であった。
結果を表１に示す。
【００５１】
実施例２〜８、比較例１
表１に示した条件とする以外は、実施例１と同様に解舒評価を行った。結果を表１に示す。
【００５２】
【表１】
2013173610.tif 000003
【符号の説明】
【００５３】
１            巻糸体固定装置
１’          巻糸体固定装置
２            糸条解舒補助具固定用ボルト
３            巻糸体
３’          巻糸体
４            糸条
４’          糸条
５            テール部
５’          テール部
６            糸条解舒補助具固定用ナット
６’          糸条解舒補助具固定用ナット
７            糸条解舒補助具固定部
８            糸条解舒補助具アーム部
９            糸条解舒補助具リング部
１０          糸条解舒補助具
１０’        糸条解舒補助具
１１          ジョイント部
１２          ボビン
θ            解舒角度
Ｙ            距離
Ｙ’          距離
Ｙ１          面
Ｙ２          面
Ｘ            隙間
【図１】
2013173610.tif 000004
【図２】
2013173610.tif 000005
【図３】
2013173610.tif 000006
【図４】
2013173610.tif 000007
【図５】
2013173610.tif 000008
【図６】
2013173610.tif 000009
【図７】
2013173610.tif 000010